(57)【特許請求の範囲】
【請求項１】
被洗浄車両を載置して車長方向に移動させる移動装置と、
前記被洗浄車両を跨いで前記被洗浄車両の側面及び上面を洗浄して車長方向に移動する洗車機本体と、
車長方向に移動して前記被洗浄車両の下面を洗浄する下面洗浄装置と、
を備え、
前記下面洗浄装置の洗浄を開始するスタート位置を、前記被洗浄車両の前進限に位置する前記被洗浄車両の前端と前記下面洗浄装置の進行方向を反転する折り返し位置との間に配し、
前記スタート位置に配した前記下面洗浄装置上を前記被洗浄車両の前端が通過してから被洗浄車両が前進限にて移動を停止するまでの間は移動を停止した前記下面洗浄装置により洗浄を行うとともに前記洗車機本体は前記被洗浄車両の後端に向かって移動して前記被洗浄車両の洗浄を行い、
前記被洗浄車両が前進限にて移動を停止した後に前記下面洗浄装置が前記被洗浄車両の後端に向かって移動して洗浄することを特徴とすることを特徴とする洗車機。
【請求項２】
前記被洗浄車両の前方から後端へ向かって移動する前記洗車機本体の前面が前記被洗浄車両の後端に達した時には前記下面洗浄装置は前記スタート位置から前記折り返し位置に向かって移動中であることを特徴とする請求項１に記載の洗車機。
【請求項３】
前記被洗浄車両の後端を検出する車両センサを前記洗車機本体に備え、
前記下面洗浄装置が、前記スタート位置から移動して前進限にて停止した前記被洗浄車両の後端に到達するまでの時間を前記下面洗浄装置の移動速度に基づいて取得し、該時間の経過によって前記下面洗浄装置の後方への移動を停止することを特徴とする請求項１又は２に記載の洗車機。
【請求項４】
前記下面洗浄装置の移動速度を設定可能としたことを特徴とする請求項１〜３のいずれかに記載の洗車機。
【発明の詳細な説明】
【技術分野】
【０００１】
本発明は、給油所等に設置して被洗浄車両の洗車を行う洗車機に関する。
【背景技術】
【０００２】
従来、洗車に使用される洗車機としては給油所などに設置されて被洗浄車両と洗車機本体を前後方向に相対移動させながら、被洗浄車両に貯液タンクに貯留された液剤や洗浄水を噴射し、また、ブラッシングして洗車を行う構成とされる門型洗車機が知られている。
【０００３】
さらに、この門型洗車機に、被洗浄車両の下面を洗浄する下面洗浄装置を有する洗車機も知られている。例えば、被洗浄車両の下面を洗浄するための放水ノズルを備えるキャリア（台車）を洗車機本体と並行して走行させ、洗車機本体に備えた検出手段で車両端部を検出したタイミングに基づいて放水ノズルによる放水を制御するとした洗車機における下回り洗浄装置が既に提案されている（例えば、特許文献１参照）。
【０００４】
一方、洗車機本体を前進移動させ、コンベヤ装置により車両を洗車機本体の後端側に移動させることで、洗車スペースを短縮した洗車を行う洗車機が知られている（例えば、特許文献２参照）。この洗車機は被洗浄車両を載置して前後方向に移動する移動装置と、被洗浄車両を跨いで前後に移動して洗浄する門型の洗車機本体と、を備えている。
【０００５】
洗車機本体には被洗浄車両の上面を洗浄するトップブラシや側面を洗浄するサイドブラシを備えている。所定の洗車条件に基づき洗車が開始されると被洗浄車両の前方に配された洗車機本体は被洗浄車両の後方へ移動しながらブラシを用いて被洗浄車両の前端から洗浄し、移動装置は被洗浄車両を積載して前方に移動する。これにより洗車スペースを小さくした洗車機を提供する。
【先行技術文献】
【特許文献】
【０００６】
【特許文献１】特開平９−１０４３２７号公報
【特許文献２】特開平８−６７２３４号公報
【発明の概要】
【発明が解決しようとする課題】
【０００７】
特許文献２のような、洗車機本体と被洗浄車両とを互いに逆方向に移動させながら洗浄を行う洗車機に下面洗浄装置を導入した場合、被洗浄車両の下面を丁寧に洗浄することが出来ないという問題がある。すなわち、特許文献１のように下面洗浄装置を洗車機と並行して走行させて下面洗浄を行うと、下面洗浄中に被洗浄車両も移動するため、下面洗浄装置と被洗浄車両との相対速度が大きくなる。そのため、洗い方が雑になり、被洗浄車両の下面に洗い残しができる恐れがある。
【０００８】
本発明は、洗車スペースを小さくするとともに、被洗浄車両の下面の洗い残しを低減する洗車機を提供することを目的とする。
【課題を解決するための手段】
【０００９】
上記目的を達成するために本発明は、被洗浄車両を載置して車長方向に移動させる移動装置と、前記被洗浄車両を跨いで車長方向に移動する洗車機本体と、車長方向に移動して前記被洗浄車両の下面を洗浄する下面洗浄装置と、を備え、前記移動装置によって前記被洗浄車両が移動されているときは前記下面洗浄装置が移動を停止して洗浄を行い、前記被洗浄車両が移動を停止されているときは前記下面洗浄装置が移動して洗浄することを特徴とする。
【００１０】
この構成によると、洗車機本体の洗車条件に基づいて洗車が開始されると被洗浄車両の前方に配された洗車機本体はブラシを用いて被洗浄車両の前端から後端へ洗浄する。移動装置は被洗浄車両を積載して被洗浄車両の前方に移動する。この時、移動装置によって被洗浄車両が移動されているときは下面洗浄装置が移動を停止して洗浄する。また、被洗浄車両が移動を停止されていると、下面洗浄装置が移動して洗浄を開始する。
【００１１】
また、本発明は上記構成の洗車機において、前記下面洗浄装置の洗浄を開始するスタート位置を、前記被洗浄車両の前進限に位置する前記被洗浄車両の前端と前記下面洗浄装置の進行方向を反転する折り返し位置との間に配し、前記スタート位置に配した前記下面洗浄装置上を前記被洗浄車両の前端が通過してから被洗浄車両が前進限にて移動を停止するまでの間は移動を停止した前記下面洗浄装置により洗浄を行い、前記被洗浄車両が前進限にて移動を停止した後に前記下面洗浄装置が前記被洗浄車両の後端に向かって移動して洗浄することを特徴とする。
【００１２】
また、本発明は上記構成の洗車機において、前記被洗浄車両の後端を検出する車両センサを前記洗車機本体に備え、前記下面洗浄装置が、前記スタート位置から走行して前進限にて停止した前記被洗浄車両の後端に到達するまでの時間を前記下面洗浄装置の移動速度に基づいて取得し、該時間の経過によって前記下面洗浄装置の後方への移動を停止することを特徴とする。
【００１３】
また、本発明は上記構成の洗車機において、前記下面洗浄装置の移動速度を設定可能としたことを特徴とする。
【発明の効果】
【００１４】
本発明によると、被洗浄車両を車長方向に移動させる移動装置と被洗浄車両の下面を洗浄する下面洗浄装置とを備えたため、洗車スペースを小さくするとともに、被洗浄車両の洗い残しを低減する洗車機を提供できる。また、移動装置によって被洗浄車両が移動されているときは下面洗浄装置が移動を停止し、被洗浄車両が移動を停止されているときは下面洗浄装置が移動して洗浄するため、被洗浄車両の下面を丁寧に洗浄することができる。
【図面の簡単な説明】
【００１５】
【図１】本発明の実施形態の洗車機の構成を示す側面図
【図２】本発明の実施形態の洗車機の構成を示す正面図
【図３】本発明の実施形態の洗車機の構成を示す平面図
【図４】本発明の実施形態の洗車機の全体構成を示す側面図
【図５】本発明の実施形態の洗車機の全体構成を示す側面図
【図６】本発明の実施形態の洗車機の全体構成を示す側面図
【図７】本発明の実施形態の洗車機の全体構成を示す側面図
【図８】本発明の実施形態の洗車機の全体構成を示す側面図
【発明を実施するための形態】
【００１６】
本発明の第１実施形態を図面を参照して説明する。図１、図２及び図３は本実施形態の洗車機を示す側面図、正面図及び平面図である。洗車機ＷＡは洗車機本体１を備え、洗車機本体１の進入経路上にはリモートパネル７Ａが配される。被洗浄車両ＣＡはリモートパネル７Ａの面前で停車し、リモートパネル７Ａの操作によって洗車の受け付け等を行う。
【００１７】
洗車機本体１は前後に開口し、被洗浄車両ＣＡを跨ぐ門型に形成される。洗車機本体１の底面には地面に設けられた左右一対のレール２上に配される車輪３が設けられる。これにより、洗車機本体１はレール２上を走行して被洗浄車両ＣＡに対して前後に相対移動する。
【００１８】
洗車機本体１には被洗浄車両ＣＡをブラッシングする複数の回転するブラシを設けている。ブラシはトップブラシ４、サイドブラシ５及びロッカーブラシ６から成っている。トップブラシ４は被洗浄車両ＣＡの上面を洗浄し、布（織布、編布、不織布等）や樹脂繊維から成るブラシ毛を放射状に固着して形成される。
【００１９】
サイドブラシ５は洗車機本体１の後部に左右一対設けられ、被洗浄車両ＣＡの両側面と前後面に摺動して被洗浄車両ＣＡを洗浄する。ロッカーブラシ６は左右一対設けられ、被洗浄車両ＣＡのタイヤを含む側面下面を洗浄する。サイドブラシ５及びロッカーブラシ６もトップブラシ４と同様の回転軸及びブラシ毛を有している。
【００２０】
洗車機本体１の一方の側方には洗剤やワックス等の各種液剤を貯液する複数の貯液タンク（不図示）を収納するタンク収納部５０が配される。タンク収納部５０の上方には市水及び各貯液タンクからの液剤を電磁弁等を介して分配する分配配管部５１が設けられる。分配配管部５１には第１、第２浄水ノズル１１、１３、第１、第２洗剤ノズル１２、１５、撥水コートノズル１４、ワックスノズル１６が導出される。
【００２１】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対して洗剤を噴射する。撥水コートノズル１４は洗車機本体１の奥側に配され、被洗浄車両ＣＡに対して撥水コート剤を噴射する。ワックスノズル１６は洗車機本体１の奥側に配され、被洗浄車両ＣＡに対してワックスを噴射する。
【００２２】
洗車機本体１には被洗浄車両ＣＡを乾燥させるトップ送風ノズル２１とサイド送風ノズル２２とを設けている。洗車機本体１の中央上部にはトップ送風ノズル２１が設けられ、両側方にはサイド送風ノズル２２が設けられる。トップ送風ノズル２１及びサイド送風ノズル２２はブロワ２０からの送風を被洗浄車両ＣＡに対して吹き付けて乾燥させる。
【００２３】
洗車機本体１の前面には車両センサ８が設けられている。車両センサ８は光電センサや超音波センサ等から成り、洗車機本体１に進入する被洗浄車両ＣＡの外面形状、前端及び後端を検知する。
【００２４】
洗車機本体１の一方の側方の前面には操作パネル７が配される。操作パネル７はリモートパネル７Ａと同様の操作ボタンを備え、被洗浄車両ＣＡから降車したユーザ等の操作により洗車の受け付けや洗車条件の設定を行う。
【００２５】
洗車条件の設定としてはシャンプー、ワックス掛け、撥水コート等を水洗いに追加するボタンが操作パネル７及びリモートパネル７Ａに設けられる。また、高級なシャンプー、高級なワックス、高級な撥水コート、特殊なコート等を行うボタンも設けられている。さらに、フロントガード有り、フェンダーポール有り、ドアミラー有り、リヤワイパー有り、該当装備品無し等の装備品設定ボタンが設けられている。
【００２６】
レール２の間にはレール２の前端及び後端近傍まで車長方向に伸びて被洗浄車両ＣＡを積載させるコンベア（移動装置）４０が設けられる。左右一対のコンベア４０の前端及び後端には左右方向に伸びるシャフト４１、４２が設けられる。シャフト４１、４２は回転モータ（不図示）と接続され、回転モータの駆動によりシャフト４１、４２が回転する。これにより、シャフト４１、４２が回転するとコンベア４０が回転し、コンベア４０に載置される被洗浄車両ＣＡは車長方向に移動される。
【００２７】
コンベア４０の間にはシャフト４１、４２の近傍まで車長方向に伸びる左右一対のレール３２が設けられる。レール３２上には回転モータと車輪（いずれも不図示）とを備えた下面洗浄装置３０が載置される。回転モータの駆動により車輪がレール３２上を転動して下面洗浄装置３０はレール３２上を前後方向に移動される。下面洗浄装置３０は洗車開始前においてはスタート位置にて待機している。スタート位置は車長方向に対して、被洗浄車両ＣＡ前進限側に設定される。洗車が開始されたら下面洗浄装置３０は所定のタイミングで往行の移動を開始し、折り返し位置（図８参照）に達したら一旦停止後、スタート位置まで復行して戻る。
【００２８】
また、下面洗浄装置３０は複数のノズル３１を備えて、ノズル３１から高圧水などを噴射して被洗浄車両ＣＡの下面を洗浄する。また、下面洗浄装置３０の前後方向の移動速度は操作パネル７やリモートパネル７Ａによって設定が可能である。
【００２９】
上記構成により、ユーザは操作パネル７やリモートパネル７Ａにて洗車機本体１の洗車条件を設定し、洗車機本体１は被洗浄車両ＣＡの洗浄を行う。図４に示すように、被洗浄車両ＣＡはコンベア４０の後方から進行して後輪が載置される位置まで乗り上げる。この時、洗車機本体１及び下面洗浄装置３０は被洗浄車両ＣＡのスタート位置側に配される。
【００３０】
図５に示すように、洗車機本体１は移動被洗浄車両ＣＡの前方からレール２上を移動速度Ｖで往行する。この時、洗車機本体１に設けた回転ブラシが被洗浄車両ＣＡに摺動して被洗浄車両ＣＡを洗浄する。また、コンベア４０は図中、反時計回りに回転して被洗浄車両ＣＡを載置して前方へ移動速度Ｃで移動させる。この時、コンベア４０が回転するために被洗浄車両ＣＡに対する洗車機本体１の相対速度（Ｖ＋Ｃ）が大きく、被洗浄車両ＣＡの上面及び側面を早く洗浄することができる。そして、被洗浄車両ＣＡの前端が下面洗浄装置３０に到達すると、下面洗浄装置３０は洗浄水Ｗを噴射して洗浄を開始する。
【００３１】
図６に示すように、下面洗浄装置３０が洗浄水Ｗを噴射した状態を保ちながら、被洗浄車両ＣＡはコンベア４０によって前進限まで進行される。被洗浄車両ＣＡが前進限まで進行されるとコンベア４０の回転は停止する。即ち、図５のスタート位置に配した下面洗浄装置３０上を被洗浄車両ＣＡの前端が通過した状態から図６に示す前進限までの間、下面洗浄装置３０は停止したまま洗浄する。
【００３２】
図７に示すように被洗浄車両ＣＡが前進限まで進行された後、下面洗浄装置３０は移動速度Ｕで後方へ移動を開始して被洗浄車両ＣＡの下面を洗浄する。この時、コンベア４０の回転が停止した状態で下面洗浄装置３０が移動しているため被洗浄車両ＣＡに対する下面洗浄装置３０の相対速度が小さくなる。これにより、汚れの多い被洗浄車両ＣＡの下面を丁寧に洗浄することができる。
【００３３】
また、洗車機本体１の車両センサ８によって被洗浄車両ＣＡの後端位置が検出される。そして、下面洗浄装置３０がスタート位置から走行して前進限にて停止した被洗浄車両ＣＡの後端に到達するまでの時間が下面洗浄装置の移動速度Ｕ及び車両センサ８の検出結果に基づいて取得される。該時間が経過すると、図８に示すように下面洗浄装置３０が被洗浄車両ＣＡの後端に到達し、下面洗浄装置３０の後方への移動が停止される。
【００３４】
その後、下面洗浄装置３０は折り返し位置にて進行方向を反転しスタート位置まで被洗浄車両ＣＡの下面を移動しながら洗浄する。そして洗車機本体１は復行しながら各種ブロアを用いて被洗浄車両ＣＡを乾燥させて洗浄は終了する。
【００３５】
なお、洗車機本体１の移動速度Ｖと下面洗浄装置３０の移動速度Ｕとは独立の速度であるため、それぞれの速度を状況に応じて変更可能である。本実施形態においては移動速度Ｖは１．５〜５．０ｍ／ｍｉｎ程度を想定し、移動速度Ｕは１．５〜２．０／ｍｉｎ程度を想定している。
【００３６】
本実施形態によると、被洗浄車両ＣＡを前後方向に移動させるコンベア４０と被洗浄車両ＣＡの下面を洗浄する下面洗浄装置３０とを備えたため、洗車スペースを小さくするとともに、被洗浄車両ＣＡの洗い残しを低減する洗車機ＷＡを提供できる。また、移動装置４０によって被洗浄車両ＣＡが移動されているときは下面洗浄装置３０が移動を停止し、被洗浄車両ＣＡが移動を停止されているときは下面洗浄装置３０が移動して洗浄するため、被洗浄車両ＣＡの下面を丁寧に洗浄することができる。
【００３７】
また、下面洗浄装置３０のスタート位置を被洗浄車両ＣＡの前進限における被洗浄車両ＣＡの前端よりも被洗浄車両の後端側に配し、スタート位置に配した下面洗浄装置３０上を被洗浄車両ＣＡの前端が通過した状態から図６に示す前進限までの間、下面洗浄装置３０は停止したまま洗浄を行い、被洗浄車両ＣＡが前進限に到着した際に下面洗浄装置３０を後方に移動して洗浄する。これにより、下面洗浄装置３０のスタート位置よりも前方に下面洗浄装置３０の駆動装置等を設置し、前進限の被洗浄車両ＣＡの下方のスペースを有効に活用することができる。
【００３８】
また、被洗浄車両ＣＡの後端を検出する車両センサ８を洗車機本体１の前部に備え、下面洗浄装置３０がスタート位置から走行して前進限にて停止した被洗浄車両ＣＡの後端に到達するまでの時間を下面洗浄装置３０の移動速度Ｕに基づいて取得し、該時間の経過によって下面洗浄装置３０の被洗浄車両ＣＡ後方への移動を停止する。これにより、簡単に下面洗浄装置３０の移動を制御することができ、被洗浄車両ＣＡの後方で下面洗浄装置３０から放水されることを防止することができる。
【００３９】
また、下面洗浄装置３０の移動速度Ｕを設定可能としたため、洗車機ＷＡの利便性が向上する。
【産業上の利用可能性】
【００４０】
本発明によると、給油所等に設置して被洗浄車両の洗車を行う洗車機に利用することができる。
【符号の説明】
【００４１】
１      洗車機本体
４      トップブラシ
５      サイドブラシ
６      ロッカーブラシ
７      操作パネル
７Ａ    リモートパネル
８      車両センサ
３０    下面洗浄装置
４０    コンベア（移動装置）
ＣＡ    被洗浄車両
ＷＡ    洗車機
【図１】
0005664500.tif 000002
【図２】
0005664500.tif 000003
【図３】
0005664500.tif 000004
【図４】
0005664500.tif 000005
【図５】
0005664500.tif 000006
【図６】
0005664500.tif 000007
【図７】
0005664500.tif 000008
【図８】
0005664500.tif 000009